(57)【要約】【課題】  ペットボトル飲料・カン飲料は、買ったものを、直接口をつけて飲むのに作法上や衛生の抵抗感があるのを、製造時から自販機による販売までのやり方を変えることなく、製造時の状態を保持できるように、簡易カップをセットし、そのカップに注いで飲めるようにする。【解決手段】  簡易カップを取り付け・固定した後の全体形状が増大しないように、簡易カップ上部の断面形状・寸法はペットボトル上部断面にぴったりとはまる構造とする。カン飲料の場合は簡易カップ全体がカン断面にぴったりとはまる構造とする。  ペットボトル飲料の場合は、ペットボトルの凹凸部に合わせてカップに凸凹を付け、はめ込むことで取り付け・固定を確実にすると共に、開栓部に被せることで製造時の状態を開栓時まで保持できるようにした。  カン飲料の場合は、カンは単純な円筒形であり、円筒形の簡易カップ全体がカンにはまるので、カップに凹凸を付けてはめ込む必要はなく、カンにぴったりと合うことで取り付け・固定、取り外しができる。【選択図】図１
0003163197.tif 000002
【実用新案登録請求の範囲】
【請求項１】
カップの上部構造をペットボトルの上部断面・形状にぴったりとはまる形状とすることで、取り付け・固定、取り外しが簡単にできる簡易カップの構造。
【請求項２】
ペットボトル上部の凹状溝に合わせて、カップ上部に内側に向けて凸状突起（３個以上）を付け、これを凹状溝にはめることで取り付け・固定が確実にできる簡易カップの構造。
【請求項３】
ペットボトル上部周囲に凹状溝がないものについては、逆の発想でペットボトル上部周囲に突起（丘状又は板状、３個以上）を付け、カップ上部周囲に内側に向けて凸状の突起を廻らせることで、その下側に凹状溝ができたと同じことになり、ここにペットボトルに付けた突起がはまることで取り付け・固定、取り外しが簡単にできる簡易カップの構造。
【請求項４】
カン飲料の場合は、カンが単純な円筒形であるので、カップも同じ円筒形とすることで、カップ全体がカンにはまるので、カン自体が凸状突起であり、カップ自体が凹状溝の役を果たしているので、凹凸を付けて部分的にはめ込むことは必ずしも必要としない。
よって、カップはカンに密着する円筒形として、カップ自体に凹凸による模様を付けることで、形状維持、強度補強を確保するとともに、凹凸の隙間に空気が入ることで、取り外しが容易となるように、カップの形状がカンにぴったりとはまる円筒形の簡易カップの構造。
【考案の詳細な説明】
【技術分野】
【０００１】  本考案はペットボトル飲料やカン飲料に対して、概形寸法を増大させずにカップをセットし、開栓部を製造時の状態で保持すると共に、カップに注いで飲めるように、簡易カップを取り付け・固定できるようにしたものである。
【技術背景】
【０００２】  従来は簡易に飲める便利な容器入り飲料が、ペットボトル飲料やカン飲料であった。
【考案の概要】
【考案が解決しようとする課題】
【０００３】  ペットボトル飲料は直接口をつけて飲むのが便利であるが、年配の女性などは抵抗を感じる場合もある。また、会議などの改まった場所ではペットボトル飲料と一緒に紙カップなどが配られたりしている。そして、一回で飲み干さず再度飲む場合などには、一旦飲料そのものに直接口をつけているので、夏場などには衛生上から懸念することがある。お茶をたしなむ日本人からすれば、ペットボトルに直接口をつけて飲むのは作法上と衛生上から問題を有していたと云える。また、開栓部はカップが被って密封されるので、製造時の状態が飲む時まで保持され、購入時までの経緯に拘らず安心して飲める。
カン飲料の場合も、直接口をつけて飲むので、作法上と衛生上の問題は同じである。また、カン飲料の場合は飲料が見えないまま飲んでおり、カップに注いで飲むことで、飲みたい量を確かめ、カラフルな飲料を目で見て楽しみながら飲むことができる。また、カップで開栓部を被覆することで製造時の状態が飲む時まで保持されるので安心して飲める。
【課題を解決するための手段】
【０００４】  各種の簡易カップは市販もされている。しかし、上記の目的を達成するため、ペットボトルやカンに簡単に取り付け・固定、取り外しができるカップをセットした。そして、水筒やボトルと同じように、飲みたい時にセットされているカップに注いで飲めるようにすることで、作法上、衛生上の問題点を解決できるようにした。また、カップで開栓部を被覆し密封することで、製造時の状態が飲む時まで保持されるようにした。
原価が上昇しないようにするために、現在のペットボトルやカンに、そのままカップを取り付け・固定することもできるようにした。。こうすることで、材料費の増加は、ほぼカップのみと言え、カップの取り付け・固定の工程が増すのみである。
【考案の効果】
【０００５】  カップがペットボトルやカンの飲み口部を密封するようにセットされていることで、開栓時まで製造時のままの状態が保持され、カップに注いで飲めるので日常の器に注いで飲むのと同じ状態となるので、作法上、衛生上の心配がなくなる。
また、カップに注ぐことで必要な量やカラフルな飲料を目で確かめて飲むことができる。
また、使い捨てとなるカップがセットになっているので、「湯沸しやお茶入れ」、器の「洗浄や整理」などの準備や後片付けの作業が不要となる便利さが得られる。
カップの取り付け・固定、取り外し作用を確実、簡単に行うためにカップ材の厚さは薄くして変形し易くするが形状維持、強度補強のためには表面に凹凸による模様を入れることで美的センスを取り入れた補強ができる。
ペットボトルやカンにカップを取り付け・固定するには、ラベルと同じようにカップ上部が被るように密封して開栓時までの固定や衛生上の安全を確保できる。
【図面の簡単な説明】
【０００６】
【図１】ペットボトル（凹状溝あり）に簡易カップを取り付けた垂直断面図
【図１−１】ペットボトル（凹状溝あり）に簡易カップを取り付けた水平断面図
【図１−２】簡易カップの斜視図
【図２】ペットボトル（凹状溝なし）に簡易カップを取り付けた垂直断面図
【図２−１】ペットボトル（凹状溝なし）に簡易カップを取り付けた水平断面図
【図２−２】簡易カップの斜視図
【図３】カンに簡易カップを取り付けた垂直断面図
【図３−１】カンに簡易カップを取り付けた水平断面図
【図３−２】簡易カップの斜視図
【考案を実施するための形態】
【０００７】  ペットボトル飲料やカン飲料は直接口をつけて飲むので作法状と衛生上の懸念がある。このため、簡易カツプをセットにして開栓部を密閉することで製造時の状態を保持すると共に、カップに注ぐことで飲む量を確認し、カラフルな飲料を楽しむことができるようにと考えたものである。
市販されている簡易カップの断面は通常の台形状のガラスコップの形であるが、上記目的のためにペットボトルの丸型、四角型に拘らず、簡易カップの上部構造をペットボトル上部にぴたりとはまるような形状・寸法とし、これをセットすれば製造工程も簡易カップの取り付け工程が増えるのみで良く、全体の外形寸法が大きくならずに、現在の流通過程、特に自動販売機にも即対応できる。
また、製造工程は現在の最終工程に簡易カップの取り付け工程を増すのみで良く、製造・販売の経費上昇を抑えることができる。また、利用拡大が考えられるならば、現在のラベル貼りの工程の前に簡易カップの取り付けを行えば、ラベルは現在の一枚で良く、貼り付け工程も兼用でき一段と経費節減が計れる。
また、簡易カップをペットボトルに被せて取り付け・固定するには、簡易カップの底部にキャツプがはまる凹状溝を設けてブレ止めとする。
また、簡易カップの飲み口部をラベルで覆って固定するが、一回で飲みきらずに、時間をおいて再度飲む場合や、飲み終えた後で水筒やボトルの代用に利用する場合などには、簡易カップを被せるのみでなく、ペットボトルに留めておくことができると便利であるので、ペットボトルに凹凸があることを利用し、簡易カップに凸凹をつけて、双方の凹凸にはめ込むことで、簡易カップをペットボトルにしっかりと取り付け・固定できるようにした。
ペットボトルに凹状溝がないものは小さな凸状突起を付けることで同様なことが行えるようになる。
要約すれば、ペットボトル飲料やカン飲料は作法上、衛生上の懸念もあることや屋外で飲むことも多いので、利用上の便利さを追求しながら、経費の上昇は極力抑えて、その解決法を考えたものである。
【符号の説明】
【０００８】  １    ペットボトル（凹状溝あり）
２    キャツプ
３    凹状溝
４    簡易カップ
５    凸状突起
６    ブレ止溝
７    ペットボトル（凹状溝なし）
８    キャツプ
９    凸状突起
１０  簡易カップ
１１  凸状突起
１２  ブレ止溝
１３  カン
１４  簡易カップ
【図１】
0003163197.tif 000003
【図１−１】
0003163197.tif 000004
【図１−２】
0003163197.tif 000005
【図２】
0003163197.tif 000006
【図２−１】
0003163197.tif 000007
【図２−２】
0003163197.tif 000008
【図３】
0003163197.tif 000009
【図３−１】
0003163197.tif 000010
【図３−２】
0003163197.tif 000011
【手続補正書】
【提出日】平成22年4月21日(2010.4.21)
【手続補正２】
【補正対象書類名】実用新案登録請求の範囲
【補正対象項目名】全文
【補正方法】変更
【補正の内容】
【実用新案登録請求の範囲】
【請求項１】
ペットボトルやカンにセットするカップは逆さにして被せ、ペットボトル躯体やカン躯体と一体化させることで全体が大きくならないようにする。
そして、カップ躯体を縦割りにした構造断面は［図１］、［図２］、［図３］で示すように、上部はペットボトル躯体やカン躯体にぴたりとはまるように平行形とする。そして、カップ躯体に付けた［図１］の５．凸状突起をペットボトル躯体についている３．凹状溝にはめる。同様に［図２］のカップ躯体の１１．凸状突起をペットボトル躯体の９．凸状突起下側（下側が凹状溝の代わりとなる）にはめる。また［図３］で示すようにカン躯体を凸状突起、カップ躯体を凹状溝ととらえることでカップ全体をはめる。
このように、一方の凸部を他方の凹部にはめ込むことでカップの取り付け・固定、取り外しを確実にし、ぶれ防止を確実にするという技術を利用した簡易カップの構造。
【請求項２】
カップが、ぶれたりしないようにするため、ペットボトルの場合には［図１］、［図２］に示すように、カップの底に環状の凹凸（６．ぶれ防止溝、１２．ぶれ防止溝）を設けて窪みをつくり、キャツプ上部をこの窪みにはめ込み、動かないようにすることで、ぶれ防止とすることを特徴とする請求項１記載の簡易カップの構造。
そして、逆さにしても抜け落ちないように取り付け・固定するにはペットボトル躯体の周囲にある形状維持、強度補強ために付いている［図１］の３．凹状溝に、カップに付けた５．凸状突起がはまるようにすることで、カップの取り付け・固定、取り外しが確実にできることを特徴とする請求項１記載の簡易カップの構造。
以上のように、ぶれ防止と取り付け・固定、取り外しが確実にできることを特徴とする請求項１記載の簡易カップの構造。
【請求項３】
ペットボトル躯体上部周辺に凹状溝がないものについては、逆さにしても抜け落ちないようにするのに、発想を逆転させて、［図２］に示すようにペットボトル上部断面の変換点前に９．凸状突起を付け、凸状突起の先端が躯体断面外側線と同じ位置になるようにする。一方、カップ上部周囲に内側に向けて［図２］１１．凸状突起を環状に廻らせる。９．凸状突起がペットボトルの断面変換部にあるため、［図２］で示すように、９．凸状突起の下側にできる窪みが凹状となり凹状溝の代わりとなる。ここに、カップに環状に付けた［図２］１１．凸状突起がはまることで請求項２と同様に取り付け・固定、取り外しが確実にできることを特徴とする請求項１記載の簡易カップの構造。
【請求項４】
カン飲料の場合は、カンが単純な円筒形であり、カップも円筒形とすることで、［図３］に示すように、カップ全体がぴたりとカンにはまるので、カン躯体が凸状突起であり、カップ躯体が凹状溝の役を果たしているので、凹凸を付けて部分的にはめ込む必要がなく、全体を被せるだけでカップの取り付け・固定が確実となる。しかし、全体がぴたりとカンに密着して被っているので、取り外しがやり難くなるので、これを解決するためカップの材料自体に凹凸による模様を付け凹凸の隙間に空気が入り込むことで、形状維持、強度補強を確実にするとともに、取り外しが容易となることを特徴とする請求項１記載の簡易カップの構造。
【手続補正書】
【提出日】平成22年7月16日(2010.7.16)
【手続補正１】
【補正対象書類名】実用新案登録請求の範囲
【補正対象項目名】全文
【補正方法】変更
【補正の内容】
【実用新案登録請求の範囲】
【請求項１】
ペットボトルやカンに逆さにして被せ、ペットボトル躯体やカン躯体と一体化させて全体が大きくならないようにする簡易カップにおいて、
（１）ペットボトルやカンにはまるように、また取外しが簡単になるように、上層部分の切り口断面はペットボトルやカンの切り口断面にはまる同じ形状とする、
（２）逆さにしても抜け落ちないように取付けするのに、ペットボトル躯体周囲についている凹状溝に当たる位置に、この凹状溝にはまる凸状突起をつける、
（２）ペットボトル躯体に凹状溝が無く、凸状突起を付けたペットボトル躯体の場合は、この凸状突起の下側に当たる凹状箇所にはまるように、内側に向けた凸状突起を廻らせる、
（４）カップがぶれないように、底部にはキャツプの頂部がはまるように円周状の突起を廻らせ、円形状の凹部を設ける、
（５）カン躯体の場合は全体が密着するので、取外しを容易にするのに隙間に空気が入るよう、躯体に凹凸による模様を付ける、
という構造を特徴とした簡易カップ。